(57)【要約】【課題】  Ｕ型コンクリートブロックを配列して構成されるＵ字溝水路におけるＵ型コンクリートブロック間の継目の水漏れを防止する構造の提供。【解決手段】  目地部が浸食にて形成した穴や凹部にシーリング材８を詰め、該目地部を中心としてプライマーを塗布してプライマー層７を形成し、このプライマー層７に帯状のシール材２を底面１０、両内側面１１，１１、及び上端面１２，１２に沿って貼着し、貼着した上記シール材の両側端部にシーリング材１４，１４を塗布し、シール材２は上からエンビコーティング層４、ポリエステル繊維層５、エンビコーティング層４、そして上記プライマー層７に接着するプチル粘着層の４層から構成している。【選択図】    図３
2015045191.tif 000002
【特許請求の範囲】
【請求項１】
Ｕ字溝水路などの継目の水漏れを防止する為に、該目地部に貼着するシール材において、該シール材は遮水層に粘着層を積層した構造とし、該粘着層には使用時に剥がすことが出来る離型紙を貼り合せたことを特徴とする粘着防水シール材。
【請求項２】
上記粘着層として、ブチルゴムを用いた請求項１記載の粘着防水シール材。
【請求項３】
Ｕ型コンクリートブロックを配列して構成されるＵ字溝水路におけるＵ型コンクリートブロック間の継目の水漏れを防止する構造において、目地部が浸食にて形成した穴や凹部にシーリング材を詰め、該目地部を中心としてプライマーを塗布してプライマー層を形成し、このプライマー層に帯状のシール材を底面、両内側面、及び上端面に沿って貼着し、貼着した上記シール材の両側端部にシーリング材を塗布し、該シール材は遮水層と上記プライマー層に接着する粘着層から構成したことを特徴とするＵ字溝水路の水漏れ防止構造。
【請求項４】
上記粘着層として、ブチルゴムを用いた請求項３記載のＵ字溝水路の水漏れ防止構造。
【発明の詳細な説明】
【技術分野】
【０００１】
本発明はＵ型コンクリートブロックを配列して構成するＵ字溝水路において、継目から水漏れがしないようにする水漏れ防止構造、及び粘着防水シート材に関するものである。
【背景技術】
【０００２】
近年、水田へ水を供給する水路としてＵ型コンクリートブロックが多用されている。図９は一般的なＵ型コンクリートブックの外観を示す具体例であり、底部（イ）の両側には側部（ロ）、（ロ）が起立し、その断面はＵ型を形成している。このＵ型コンクリートブロックを長手方向に配列することで、Ｕ字溝水路を構成することが出来る。
【０００３】
型枠を作ってコンクリートを流し込むことでＵ字溝水路を構成することは可能であるが、規格化されたＵ型コンクリートブロックは工場で量産することが出来、現場へ搬送して所定の場所に配列するだけの作業でＵ字溝水路を簡単に造成することが出来ることから、近年ではこのＵ型コンクリートブロックを用いた水路が殆どである。
【０００４】
ところで、Ｕ字溝水路は複数のＵ型コンクリートブロックが配列され、継目にはモルタルが詰められて水漏れしないようにしている。しかし、長い年月が経過すると、継目のモルタルにはヒビが入って該継目から水漏れを生じるケースが多発する。特に、道路を大型車両が走行する際に発生する振動にてモルタルが剥れ、また地震が発生すると継目に亀裂が生じる。
【０００５】
稲作では田植え時期から穂が出るまでの期間は水を必要とし、その為に水田には水が満ちているのが常であるが、穂が実って収穫の稲刈り時期が近づくと水田に水を入れることはなく、むしろ水田を乾燥する必要がある。このような時期にＵ字溝水路の継目から漏れる水が水田に流れ込むと、水田を乾燥することが出来ず、その結果、稲穂が十分に実ることが出来なくなる。
【０００６】
その結果、米の収穫量は減少すると共に品質も低下する。一方、収穫時にはコンバインが水田へ入って稲刈りを行なうことになるが、Ｕ字溝水路から漏れる水が水田に流れ込むならば、水田は乾燥しなくて軟らかく、非常に重いコンバインがスムーズに走行することが出来なくなる。勿論、田植え後で水が必要な時期であっても、必要以上の水は好ましくない。
【０００７】
特開平７−１２７１１９号に係る「排水路の構造」は、連続して設けられる排水路同士の継目を簡単な構成で止水でき、敷設作業を容易かつ効率的に行えるようにしている。
すなわち、Ｕ字溝本体の一方の側部端面に沿って連続した係止溝が形成され、対応する帯状に形成された水膨張性止水材が装着される。係止溝内部には係止突起が幅方向に突出形成され、水膨張性止水材の脱落を防止する。敷設時には、水膨張性止水材が設けられた一方の側部端面を他のＵ字溝本体の他方の側部端面に向けて設置し、水分を供給するのみでこれら側部端面間の隙間で水膨張性止水材が水膨張して止水を確実に行える。
【０００８】
上記排水路の構造はＵ字溝水路を造成する時には有効ではあるが、時期が経過して水膨張性止水材が退化すれば水漏れを生じる。しかも、水膨張性止水材はＵ字溝本体の側部端面に取付けられる為に、新たな水膨張性止水材と交換する場合には、Ｕ字溝本体を一旦撤去しなくてはならず、Ｕ字溝水路を新に構築する以上の工事と成ってしまう。
【０００９】
出願人は平成２３年１０月２５日付けで「Ｕ字溝水路の継目水漏れ防止構造」に関して特許出願を行っている（特開２０１３−９１９４４）。すなわち、このＵ字溝水路の継目水漏れ防止構造は、継目を塞ぐように底面、両内側面、及び上端面に沿ってシールを貼着している。そして該シールは３層構造とし、表面はサンド付き改質アスファルト層、中間層はガラス繊維織布層、下層は加熱することで粘着性を有す粘着アスファルト層を積層して構成している。
【００１０】
しかし、上記Ｕ字溝水路の継目水漏れ防止構造では、Ｕ字溝内周面にシールを貼着する際に該シールを加熱しなくてはならず、その作業は面倒である。
【特許文献１】特開平７−１２７１１９号に係る「排水路の構造」
【特許文献２】特開２０１３−９１９４４号に係る「Ｕ字溝水路の継目水漏れ防止構造」
【発明の開示】
【発明が解決しようとする課題】
【００１１】
このように、Ｕ型コンクリートブロックを配列して構成されるＵ字溝水路には上記のごとき問題がある。本発明が解決しようとする課題はこの問題点であり、Ｕ型コンクリートブロックの継目から水漏れを生じないようにシールしたＵ字溝水路の継目水漏れ防止構造、及び防水シールを提供する。ここで、防水シールはＵ字溝水路の継目水漏れ防止構造を対象とするのみならず、他の部材継目からの水漏れ防止にも適用する。
【課題を解決するための手段】
【００１２】
本発明に係るＵ字溝水路は、Ｕ型コンクリートブロックを配列して構成し、そしてＵ型コンクリートブロックの継目にはシール材を貼着している。勿論、従来通り継目にはモルタルが詰められているが、シール材はＵ字溝水路の継目部内面に貼着される。そして、該シール材は新に設置されるＵ字溝水路に限らず、既存のＵ字溝水路の継目をシールする為に使用出来る。
【００１３】
ここで、本発明に係るシール材は遮水層に粘着層を設けたものであり、該粘着層を介してＵ字溝水路などの継目に貼着することが出来る。ここで、上記遮水層としての具体的な構造は限定しないことにする。
例えば、上記遮水層を４層構造として構成し、上面側からエンビコーティング層、ポリエステル繊維層、エンビコーティング層、そして粘着層とすることが出来る。このシール材は４層を積層した構造であり、一定幅の帯状を成してロール巻きされている。その為に最下層の粘着層には離型紙を貼り合せてロール巻きされ、必要に応じて適当な長さに切断して使うことが出来るようにしている。
【００１４】
該シール材を用いて継手部をシールする場合、Ｕ字溝には水が流れないように止水し、シール材を貼着する継手部に付着しているコケや土埃を除去し、雑巾などを用いて水拭きする。そして、シーリング材を継手に生じた穴や凹部に充填し、ヘラなどを用いて充填したシーリング材を薄く押し広げる。
【００１５】
また、シール材を貼着する領域にプライマーを均一に塗布し、適当な長さに切断したシール材を所定の領域に貼着する。そして、貼着したシール材の両側端にシーリング材を塗布する。ここで、本発明のシール材を貼着して水漏れを防止する対象部材はＵ字溝に限らず、他のコンクリート部材の継目にも貼着して該継目部からの水漏れを防止するように機能する。
【発明の効果】
【００１６】
本発明に係るシール材は遮水層に粘着層を積層してロール巻きされたもので、必要な長さに切断して使うことが出来る。例えば、上記シール材を４層構造として上面側からエンビコーティング層、ポリエステル繊維層、エンビコーティング層、そして粘着層として構成する場合、上記エンビコーティング層は耐水性を持っている為にシール内部への水の浸透を防止し、また耐候性に優れていることで基材となるポリエステル繊維層の紫外線劣化を防止する。シールの基材となるポリエステル繊維層は強度が高くて耐久性に優れている。
シール材を貼着する継目部の内周面を綺麗に掃除し、貼着する領域にプライマーを塗布して適当な長さに切断したシール材を貼着することが出来、その作業は簡単である。
【００１７】
ところで、このシール材を使用してＵ型コンクリートブロックを配列したＵ字溝水路の継目部にシール材を貼着することで、継目からの水漏れを防止することが出来る。Ｕ字溝水路を造成して新しい時に水漏れは無いが、時期が経過することでＵ型コンクリートブロックは老朽化し、特に継目に詰めたモルタルが退化して水漏れを発生する。そこで、該シール材を貼り付けることで簡単にしかも大きな費用をかけることなく水漏れを防止出来る。
【００１８】
水漏れが防止されることで、稲が実った収穫時には水田を乾燥させることが出来、その為に、収穫量が増えると共に米の品質は向上する。また、田植え後の水田に適量の水を満たすことが出来る。そして、稲刈り時に、コンバインは乾燥した水田に入り易く、スムーズに走行して効率よく稲刈り作業を行うことも可能となる。
【図面の簡単な説明】
【００１９】
【図１】Ｕ字溝水路の継目にシールを貼着した本発明の実施例。
【図２】具体的なシールの断面構造。
【図３】Ｕ字溝水路の継目部にプライマーとシーリング材を介してシール材を貼着した断面図。
【図４】Ｕ字溝水路の継目部にシール材を貼着した断面図。
【図５】継目部にシール材を貼着する作業工程。
【図６】継目部にシール材を貼着する作業工程。
【図７】継目部にシール材を貼着する作業工程。
【図８】継目部にシール材を貼着する作業工程。
【図９】Ｕ字溝水路を構成する一般的なＵ型コンクリートブロックの外観図。
【発明を実施するための形態】
【００２０】
図１はＵ字溝水路の継目にシールを貼着したシール構造を示す本発明の実施例である。同図の１はＵ型コンクリートブロック、２はシール材、３は継目をそれぞれ表わしている。Ｕ字溝水路はＵ型コンクリートブロック１，１・・・を長手方向に配列して構成し、継目３，３・・・にはモルタルが詰められることで、Ｕ型コンクリートブロック１，１・・・が段差なく接続され、また継目３，３・・・からの水漏れを防止している。従って、Ｕ字溝水路には水が流れて必要な時に水田へ供給することが出来る。
【００２１】
このＵ字溝水路は水田へ水を供給する為のもので、水田より僅かに高い位置に設置され、該Ｕ字溝水路の所々には流入口が設けられ、この流入口を開くことで水田へ水が流れるように成っている。勿論、排水用の水路もあるが、排水用水路は水田より低い位置に設けられ、その為に該水田に流れ込む水漏れが問題視されることはない。
【００２２】
ところで、時の経過と共にＵ字溝水路を構成する上記Ｕ型コンクリートブロック１の内面は水の流れで浸食され、特に継目３に詰めたモルタルには亀裂が入り隙間穴が発生する。この隙間穴を埋める為に再度モルタルを詰めることも可能であるが、本発明では継目３を被覆するようにシール材２を貼着して隙間穴を塞ぐことが出来る。すなわち、シール材２の貼着にて水漏れが防止される。
【００２３】
図２は継目３に貼り付けるシール材２を示す具体例である。本発明に係るシール材２の基本構造は遮水層に粘着層を積層したもので一定幅の帯状をなしている。ここで、上記遮水層の具体例として、上面側からエンビコーティング層４、ポリエステル繊維層５、エンビコーティング層４として、これに粘着層と成るブチルゴム６が積層した構造としている。
【００２４】
ところで、上記エンビコーティング層４は耐水性を持っている為にシール内部への水の浸透を防止し、また耐候性に優れている。そこで、基材となるポリエステル繊維層５の紫外線劣化を防止する。そして、シール材２の基材となるポリエステル繊維層５は強度が高くて耐久性に優れている。
本発明の防水シール材２はポリエステル繊維層４を上面側と下面側に積層したエンビコーティング層４，４にてサンドイッチ構造とすることで高い防水性を発揮し、継目３からの水漏れが防止される。
【００２５】
そして、上記ブチルゴム６で構成される粘着層は粘着性と追従性に優れ、コンクリートブロック表面の凹凸部に入り込んで粘着され、シール材２をＵ字溝の継目部に強固に接着することが出来る。また、ブチルゴム６は防水性も兼ね備えており、上記エンビコーティング層４、ポリエステル繊維層５、エンビコーティング層４の積層構造と合わせて、継目からの高い漏水防止性能を発揮できる。
【００２６】
図３はこのシート材２をＵ字溝水路の継目３に貼着した場合の断面図であり、Ｕ型コンクリートブロック１，１の内面は侵食して荒れた面と成っている為に、接着強度を向上する為にプライマーを塗布してプライマー層７を有している。また、継目３にはシーリング材８を充填する。シーリング材８としてモルタルでもよいが、弾性に優れて継目３の動きに対して追従するシリコン系のシーリング材８を使用し、コーキングガンを使用して継目３に発生した穴や凹部に充填することが出来る。
【００２７】
勿論、施工時にはモルタル９を継目３に詰めてＵ型コンクリートブロック１，１・・・を繋ぎ、継目３から水漏れが発生した時の補修用としてシリコン系のシーリング材８を用いることも可能である。すなわち、モルタルで構成した継目３の亀裂にシリコン系シーリング材８をコーキングガンにて充填する。
【００２８】
図４はＵ字溝水路の継目３にシール２を貼着した断面を示している。該シール２は底面１０、内側面１１，１１、及び上端面１２，１２に沿って隙間なく貼着される。継目３に亀裂が生じる箇所は所々であり、水漏れを生じている箇所を確認したところでＵ字溝水路を流れる水を止めて該シール材２を貼着することが出来る。図４に示すように貼り付けるだけの作業であり、Ｕ型コンクリートブロック１を掘り起こす必要はなく、至って簡単で手軽に水漏れの補修することが出来る。
【００２９】
図５〜図８はＵ字溝水路の継目に防水シート材を貼着して継目からの水漏れを防ぐ作業工程を示す具体例である。
（１）は施工前の水路を示している。シール材２を貼着するには水路に水が流れていてはならず、その為に止水される。
（２）シート材２を貼着する目地部内表面が汚れていては接着しにくい為に、ワイヤーブラシなどを用いて、付着しているコケや土埃を除去する。そして、雑巾で水拭きを行い、清掃後は水路の目地部内表面を完全に乾燥する。
【００３０】
（３）シーリング材を目地部に充填する。すなわち、モルタルが充填されていた目地部には水の流れで浸食されて穴が形成される場合があり、これら穴や凹部にシーリング材を詰めて平坦化する。
（４）目地部の穴や凹部に充填したシーリング材をヘラなどの工具を用いて周りに薄く押し広げる。
（５）シート材を貼着する領域を定める為に、目地部を中心としてシート材の幅をマーキングする。
（６）シート材を貼着する為に、マーキングした領域に刷毛を用いて専用プライマーを塗布する。
【００３１】
（７）ロール巻きされているシート材を巻き戻して必要な長さに切断する。切断にはカッターやハサミが使用される。
（８）シール材２に貼り合せている離型紙を剥がして４層目のブチルゴム６を表面化し、このブチルゴム６をプライマーを塗布した内表面に貼着する。この場合、Ｕ字溝水路の底面１０と内側面１１の間に形成されるＲ面１３から浮が生じないように貼り付ける。
（９）貼着したシール材２をゴムハンマーで叩いて固定する。特にＲ面１３に浮が生じないように念入りに叩く。
【００３２】
（10）貼着したシール材２の両側端には図３に示すようにシーリング材１４，１４を塗布する。
（11）両側端に塗布したシーリング材１４，１４をならし、シール材２の側端部に重なり合うようにならす。
（12）塗布したシーリング材１４が乾燥することで作業は完了する。ただし、シーリング材１４を塗布した後２４時間はＵ字溝に水を流さないようにする。
【符号の説明】
【００３３】
１   Ｕ型コンクリートブロック
２   シール
３   継目
４   エンビコーティング層
５   ポリエステル繊維層
６   ブチルゴム
７   プライマー層
８   シーリング材
９   モルタル
10   底面
11   内側面
12   上端面
13   Ｒ面
14   シーリング材
【図１】
2015045191.tif 000003
【図２】
2015045191.tif 000004
【図３】
2015045191.tif 000005
【図４】
2015045191.tif 000006
【図９】
2015045191.tif 000007
【図５】
2015045191.tif 000008
【図６】
2015045191.tif 000009
【図７】
2015045191.tif 000010
【図８】
2015045191.tif 000011